(57)【特許請求の範囲】
【請求項１】
住宅内に設置されたコントローラが住宅設備の制御並びに監視を行う複数のサブシステムと、各サブシステムのコントローラと伝送路を介して接続される統合管理装置と、該統合管理装置に伝送路を介して接続される複数の端末装置と、監視領域を撮像する撮像装置とが汎用の通信プロトコルを利用した宅内ネットワークを構成し、前記住宅から離れた遠隔地に設置され前記宅内ネットワークと異なる外部ネットワークを通じて前記宅内ネットワークと接続されるセンタ装置と、当該センタ装置との間でデータ通信を行う携帯型の端末装置とを備え、
前記端末装置から前記宅内ネットワーク若しくは外部ネットワークを通じて伝送される要求メッセージに基づいて前記各サブシステムのコントローラが住宅設備の制御並びに監視を行うとともに当該制御又は監視の結果を示す応答メッセージが当該コントローラから前記端末装置に対して前記宅内ネットワーク若しくは外部ネットワークを通じて伝送されてなり、
前記コントローラは、他のサブシステムのコントローラから前記宅内ネットワークを通じて伝送される前記応答メッセージに応じて、自己の配下にある住宅設備のうちで予め決められた住宅設備の制御又は監視を行うものであって、
前記サブシステムには、住戸外に設置されるカメラ付きドアホン子器と、住戸内に設置されて前記カメラ付きドアホン子器との間で通話する機能並びに当該カメラ付きドアホン子器で撮像された画像を表示する機能を有するインターホン親機と、当該インターホン親機より前記カメラ付きドアホン子器で撮像された画像を受け取るとともに受け取った当該画像を前記外部ネットワークを通じてセンタ装置に伝送する前記コントローラとで構成されるインターホンシステムを含み、
前記センタ装置は、外部ネットワークを通じて前記インターホンシステムのコントローラから受け取った前記画像を記録し、
携帯型の前記端末装置は、前記外部ネットワークを通じてデータ通信を行う通信手段と、前記センタ装置に対する前記画像の伝送要求を受け付ける要求受付手段と、該要求受付手段が受け付けた伝送要求に基づいて要求メッセージを作成し且つ当該要求メッセージを前記通信手段より前記外部ネットワークを通じて伝送させるとともに前記通信手段で受け取った前記応答メッセージから前記センタ装置が記録している前記画像を取得する制御手段と、該制御手段が取得した前記画像を表示する表示手段とを具備することを特徴とする住宅設備監視制御システム。
【請求項２】
前記インターホンシステムは、住戸外に設置され、検知領域における人の存在を検知したときに当該検知領域を撮像するとともに撮像した画像をインターホン親機に伝送するセンサカメラを有し、当該インターホンシステムのコントローラは、前記センサカメラで撮像された画像を前記インターホン親機より受け取るとともに受け取った当該画像を前記外部ネットワークを通じて前記センタ装置に伝送することを特徴とする請求項１記載の住宅設備監視制御システム。
【請求項３】
前記インターホン親機は、前記カメラ付きドアホン子器で撮像された画像並びに当該カメラ付きドアホン子器から伝送される通話音声を記録する留守録機能を有し、
前記インターホンシステムのコントローラは、前記インターホン親機の留守録機能が有効であるときに当該インターホン親機が前記画像及び通話音声を記録した旨を前記宅内ネットワーク並びに外部ネットワークを通じて前記センタ装置に通知し、
前記センタ装置は、前記インターホンシステムのコントローラから受け取った当該通知を前記外部ネットワークを通じて携帯型の前記端末装置に伝送することを特徴とする請求項１又は２記載の住宅設備監視制御システム。
【請求項４】
前記インターホンシステムは、前記カメラ付きドアホン子器で所定の操作が行われることにより前記インターホン親機に対して家人の帰宅を検知する帰宅通知機能を有し、
前記インターホンシステムのコントローラは、前記インターホン親機が受け取った帰宅通知を前記宅内ネットワーク並びに外部ネットワークを通じて前記センタ装置に伝送し、
前記センタ装置は、前記インターホンシステムのコントローラから受け取った当該帰宅通知を前記外部ネットワークを通じて携帯型の前記端末装置に伝送することを特徴とする請求項１〜３の何れか記載の住宅設備監視制御システム。
【発明の詳細な説明】
【技術分野】
【０００１】
本発明は、住宅内に設置された住宅設備、例えば、エアコンや照明器具あるいは種々のセキュリティ機器などの制御並びに監視を行う住宅設備監視制御システムに関するものである。
【背景技術】
【０００２】
従来、エアコンや照明器具あるいは種々のセキュリティ機器などの住宅設備の制御並びに監視を行う住宅設備監視制御システムとして、特許文献１に記載されているようなものが提供されている。かかる従来システムは、インターホン機能を有する親機を中心として、エアコンや照明器具あるいは種々のセキュリティ機器などの住宅設備の制御並びに監視機能を統合したものであり、制御並びに監視の対象となる全ての住宅設備が有線あるいは無線で親機に接続されている。
【特許文献１】特開２００４−１３５１９７公報
【発明の開示】
【発明が解決しようとする課題】
【０００３】
しかしながら、上記従来システムでは、制御並びに監視の対象となる全ての住宅設備が１台の親機に接続されるため、市場ニーズの変化や住宅設備の機能向上に合わせて親機の機能も変更あるいは追加しなければならず柔軟且つ迅速な対応が困難であった。また、上記従来システムでは、親機に接続されたカメラ付きドアホン子器で撮像した画像を親機に記録し、必要に応じて携帯電話機などの端末装置に前記画像を送信し、当該端末装置のモニタ画面に画像を表示して見ることができるようになっているが、多くの画像を記録するためには親機に沢山のメモリを搭載しなければならなかった。
【０００４】
本発明は上記事情に鑑みて為されたものであり、その目的は、市場ニーズの変化や住宅設備の機能向上に柔軟且つ迅速に対応できるとともにインターホンシステムのインターホン親機に搭載するメモリの容量を抑えつつ記録された画像が確認できる住宅設備監視制御システムを提供することにある。
【課題を解決するための手段】
【０００５】
請求項１の発明は、上記目的を達成するために、住宅内に設置されたコントローラが住宅設備の制御並びに監視を行う複数のサブシステムと、各サブシステムのコントローラと伝送路を介して接続される統合管理装置と、該統合管理装置に伝送路を介して接続される複数の端末装置と、監視領域を撮像する撮像装置とが汎用の通信プロトコルを利用した宅内ネットワークを構成し、前記住宅から離れた遠隔地に設置され前記宅内ネットワークと異なる外部ネットワークを通じて前記宅内ネットワークと接続されるセンタ装置と、当該センタ装置との間でデータ通信を行う携帯型の端末装置とを備え、前記端末装置から前記宅内ネットワーク若しくは外部ネットワークを通じて伝送される要求メッセージに基づいて前記各サブシステムのコントローラが住宅設備の制御並びに監視を行うとともに当該制御又は監視の結果を示す応答メッセージが当該コントローラから前記端末装置に対して前記宅内ネットワーク若しくは外部ネットワークを通じて伝送されてなり、前記コントローラは、他のサブシステムのコントローラから前記宅内ネットワークを通じて伝送される前記応答メッセージに応じて、自己の配下にある住宅設備のうちで予め決められた住宅設備の制御又は監視を行うものであって、前記サブシステムには、住戸外に設置されるカメラ付きドアホン子器と、住戸内に設置されて前記カメラ付きドアホン子器との間で通話する機能並びに当該カメラ付きドアホン子器で撮像された画像を表示する機能を有するインターホン親機と、当該インターホン親機より前記カメラ付きドアホン子器で撮像された画像を受け取るとともに受け取った当該画像を前記外部ネットワークを通じてセンタ装置に伝送する前記コントローラとで構成されるインターホンシステムを含み、前記センタ装置は、外部ネットワークを通じて前記インターホンシステムのコントローラから受け取った前記画像を記録し、携帯型の前記端末装置は、前記外部ネットワークを通じてデータ通信を行う通信手段と、前記センタ装置に対する前記画像の伝送要求を受け付ける要求受付手段と、該要求受付手段が受け付けた伝送要求に基づいて要求メッセージを作成し且つ当該要求メッセージを前記通信手段より前記外部ネットワークを通じて伝送させるとともに前記通信手段で受け取った前記応答メッセージから前記センタ装置が記録している前記画像を取得する制御手段と、該制御手段が取得した前記画像を表示する表示手段とを具備することを特徴とする。
【０００６】
請求項２の発明は、請求項１の発明において、前記インターホンシステムは、住戸外に設置され、検知領域における人の存在を検知したときに当該検知領域を撮像するとともに撮像した画像をインターホン親機に伝送するセンサカメラを有し、当該インターホンシステムのコントローラは、前記センサカメラで撮像された画像を前記インターホン親機より受け取るとともに受け取った当該画像を前記外部ネットワークを通じて前記センタ装置に伝送することを特徴とする。
【０００７】
請求項３の発明は、請求項１又は２の発明において、前記インターホン親機は、前記カメラ付きドアホン子器で撮像された画像並びに当該カメラ付きドアホン子器から伝送される通話音声を記録する留守録機能を有し、前記インターホンシステムのコントローラは、前記インターホン親機の留守録機能が有効であるときに当該インターホン親機が前記画像及び通話音声を記録した旨を前記宅内ネットワーク並びに外部ネットワークを通じて前記センタ装置に通知し、前記センタ装置は、前記インターホンシステムのコントローラから受け取った当該通知を前記外部ネットワークを通じて携帯型の前記端末装置に伝送することを特徴とする。
【０００８】
請求項４の発明は、請求項１〜３の何れかの発明において、前記インターホンシステムは、前記カメラ付きドアホン子器で所定の操作が行われることにより前記インターホン親機に対して家人の帰宅を検知する帰宅通知機能を有し、前記インターホンシステムのコントローラは、前記インターホン親機が受け取った帰宅通知を前記宅内ネットワーク並びに外部ネットワークを通じて前記センタ装置に伝送し、前記センタ装置は、前記インターホンシステムのコントローラから受け取った当該帰宅通知を前記外部ネットワークを通じて携帯型の前記端末装置に伝送することを特徴とする。
【発明の効果】
【０００９】
本発明によれば、複数のサブシステム毎に住宅設備の制御並びに監視を行うとともに、これら複数のサブシステムで汎用の通信プロトコルを利用した宅内ネットワークを構成し、当該宅内ネットワークを通じてサブシステム同士の連携が図れるから、全ての住宅設備が１台の親機に接続される従来例に比較して市場ニーズの変化や住宅設備の機能向上に柔軟且つ迅速に対応でき、しかも、カメラ付きドアホン子器で撮像された画像をセンタ装置で記録し、外部ネットワークを通じてセンタ装置に記録した画像を携帯型の端末装置で取得して表示するので、インターホン親機に搭載するメモリの容量を抑えつつ記録された画像が確認できる。
【発明を実施するための最良の形態】
【００１０】
以下、図面を参照して本発明の実施形態を詳細に説明する。
【００１１】
本実施形態の住宅設備監視制御システムは、図１に示すように住宅内に設置されたコントローラＣ１，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される統合管理装置ＴＭと、統合管理装置ＴＭにＬＡＮケーブルを介して接続される複数（図示例では、２つ）の端末装置（パーソナル・コンピュータＰＣ並びに表示制御装置ＣＶ）とを備え、これら複数のコントローラＣと統合管理装置ＴＭと端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格に準拠したローカルエリアネットワーク（ＬＡＮ）であって、スイッチングハブに相当する統合管理装置ＴＭに、ネットワーク端末に相当する各サブシステムＳＳｎのコントローラＣｎや端末装置（パーソナルコンピュータＰＣ並びに表示制御装置ＣＶ）などがスター配線で接続されている。さらに統合管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。なお、この種のインターネット接続装置ＭＤは従来周知であるから詳細な構成についての図示並びに説明は省略する。
【００１２】
また、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置に宛て送信されるメッセージを中継する機能を有している。但し、上述のようなインターネット接続機能を有する携帯型の端末装置やセンタ装置ＳＶは従来周知であるから、詳細な構成についての図示並びに説明は省略する。
【００１３】
統合管理装置ＴＭは、図２に示すようにそれぞれにＬＡＮケーブルを介してサブシステムＳＳｎのコントローラＣｎが接続される複数の通信ポート２i（ｉ＝１，２，…）と、ＬＡＮケーブルを介してインターネット接続装置ＭＤが接続される通信ポート３と、通信ポート２i，３間の伝送経路を切り換えるとともに通信ポート２i，３間で転送されるパケットの破棄や通信ポート２i又は３の遮断若しくは制限等の処理（以下、パケット処理と呼ぶ。）を実行するパケット処理部４と、ＣＰＵを主構成要素としパケット処理部４を制御して伝送経路を切り換えさせる機能（経路切換機能）やパケットに対するウイルスチェックやフィルタリング等を実行する機能（ネットワークセキュリティ機能）、サブシステムの構成管理機能（後述する）等を有する制御部１と、コントローラＣｎやインターネット接続装置ＭＤのＭＡＣ（Media Access Conrol：媒体アクセス制御）アドレスやネットワークアドレス（プライベートのＩＰアドレス）、各サブシステムＳＳｎに関する制御情報や監視情報を記憶するための記憶部５とを備えている。通信ポート２i，３は、ＬＡＮケーブルの先端に設けられているＲＪ−４５のモジュラプラグが挿抜自在に接続されるモジュラジャックを具備している。また、パケット処理部４は多数のスイッチ要素を具備し、制御部１の経路切換機能によってスイッチ要素が駆動されることにより任意の１つの通信ポート２i又は３と他の１乃至複数の通信ポート２i又は３との間の伝送経路を切り換えたり、あるいは制御部１のネットワークセキュリティ機能によって異常（例えば、不正なパケットやネットワークに支障を来すほど大量のパケットの流入または流出）が生じている通信ポート２i又は３を遮断若しくは制限するものである。記憶部５は不揮発性メモリからなり、各通信ポート２iに接続されているコントローラＣｎや端末装置並びに通信ポート３に接続されているインターネット接続装置ＭＤのＭＡＣアドレスやネットワークアドレスを各通信ポート２i，３と対応させて記憶している。但し、通信ポート２i，３に接続されているコントローラＣｎや端末装置並びにインターネット接続装置ＭＤのＭＡＣアドレスを取得する方法については従来周知であるから詳細な説明は省略する。また、各コントローラＣｎや端末装置のネットワークアドレス、すなわち、プライベート（あるいはローカルとも言う。）のＩＰアドレスについては、制御部１がＤＨＣＰ（Dynamic Host Configuration Protocol）を用いて自動的に割り当てるようになっている。但し、ＤＨＣＰを用いたネットワークアドレスの自動割り当てについても従来周知であるから詳細な説明は省略する。
【００１４】
制御部１は、通信ポート２i，３からパケット処理部４に入ってくるパケットの送信先のアドレス（ＭＡＣアドレス）を監視しており、例えば、通信ポート３から入ってきたパケットの送信先のアドレスを記憶部５に記憶しているＭＡＣアドレスと照合し、送信先のアドレスと一致するＭＡＣアドレスのコントローラＣｎや端末装置（例えば、コントローラＣ１）が接続されている通信ポート２1と通信ポート３との間にのみ伝送経路が形成されるようにパケット処理部４を制御し、形成された伝送経路を介してパケットを通信ポート２1に送り出させている（経路切換機能）。また、制御部１では、通信ポート２i，３を通過するパケットを常時監視し、異常なパケットを破棄したり、あるいは上述のようにパケット処理部４を制御して異常が生じている通信ポート２i又は３を遮断若しくは制限させている（ネットワークセキュリティ機能）。さらに、制御部１はＵＰｎＰ（ユニバーサル・プラグ・アンド・プレイ）のコントロールポイントの機能を実装しており、後述するようにＵＰｎＰにおいてデバイスの検出を行うＳＳＤＰ（Simple Service Discovery Protocol）を利用してＵＰｎＰのデバイスに相当する各コントローラＣｎを自動的に検出するようになっている。
【００１５】
ところで、統合管理装置ＴＭは、合成樹脂成形品からなる箱形のハウジング（図示せず）に上述した各部を収納して構成されているが、当該ハウジングは住宅内の壁面に設置されている住宅用分電盤（住宅盤）に収納可能となっている。但し、当該ハウジングの構造は一例であって、必ずしも住宅盤に収納される必要はない。
【００１６】
次に、個々のサブシステムＳＳｎについて説明する。
【００１７】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行うコントローラ（以下、設備機器コントローラと呼ぶ。）Ｃ１と、住宅における使用電流を計測する電流計測装置Ｄとを備えている。
【００１８】
設備機器コントローラＣ１は、図３に示すようにマイコンを主構成要素とする設備機器コントローラ制御部１０と、宅内ネットワークのＬＡＮケーブルが接続され設備機器コントローラ制御部１０と宅内ネットワークのインタフェースを行うＬＡＮインタフェース部１１と、日本電機工業会（JEMA）の統一規格に適合した設備機器Ｘ１（エアコンや給湯器など）と設備機器コントローラ制御部１０のインタフェースを行うＨＡ（ホームオートメーション）インタフェース部１２と、前記ＪＥＭＡ規格に適合したＨＡ端子（図示せず）を有するＨＡ端子部１３と、当該ＪＥＭＡ規格に適合しない設備機器Ｘ２（照明器具）への給電経路に挿入されるリレー（図示せず）を有するリレー端子部１５と、設備機器コントローラ制御部１０の制御下でリレー端子部１５が有するリレーを駆動する照明器具インタフェース部１４と、マイコンで実行するプログラムや設備機器Ｘ１，Ｘ２の動作状態などの制御情報及び監視情報を記憶するメモリ部１６と、電流計測装置Ｄとの間でデータ通信を行うためのローカルインタフェース部１７と、現在時刻を計時する計時部１８とを備えている。また、図示は省略しているが、商用電源から所望の直流電源を作成して設備機器コントローラ制御部１０やその他の各部に動作電源を供給するための電源回路も備えている。
【００１９】
設備機器コントローラ制御部１０は、ＬＡＮインタフェース部１１を通じて端末装置から制御要求のメッセージを受け取ったときにＨＡインタフェース部１２あるいは照明器具インタフェース部１４を介して各設備機器Ｘ１，Ｘ２を個別に制御して運転（照明器具Ｘ２の場合は点灯）と停止（照明器具Ｘ２の場合は消灯）を切り換え、ＬＡＮインタフェース部１１を通じて端末装置から監視要求のメッセージを受け取ったときにＨＡインタフェース部１２あるいは照明器具インタフェース部１４を介して各設備機器Ｘ１，Ｘ２の動作状態（運転＜点灯＞又は停止＜消灯＞）を個別に取得するとともに、制御要求や監視要求に対する応答（各設備機器Ｘ１，Ｘ２の動作状態）のメッセージをＬＡＮインタフェース部１１より要求メッセージの送信元である端末装置に向けて送信させる機能（制御監視機能）を有する。また、設備機器コントローラ制御部１０は、自己の配下にある設備機器Ｘ１〜Ｘ４の名称並びに動作状態を文字や記号で表示するためのウェブコンテンツ（ウェブページ）を作成し、端末装置からの要求に応じて当該ウェブコンテンツをＬＡＮインタフェース部１１より端末装置に提供（配信）する機能（ウェブサーバ機能）を有している。
【００２０】
電流計測装置Ｄは、図４に示すようにマイコンを主構成要素とするマイコンブロック２０と、住宅盤に収納されている主幹ブレーカ（図示せず）の電源側に設けられて電源線ＰＬより主幹ブレーカに流れ込む電流を検出する電流センサ（カレントトランス）ＣＴと、電流センサＣＴで検出する電流から住宅における使用電流量を計測する電流計測部２１と、設備機器コントローラＣ１の設備機器コントローラ制御部１０との間でデータ通信を行うためのローカルインタフェース部２２と、日本電機工業会の統一規格に適合した設備機器Ｘ３，Ｘ４（エアコンや給湯器など）とマイコンブロック２０のインタフェースを行うＨＡインタフェース部２３と、前記ＪＥＭＡ規格に適合したＨＡ端子（図示せず）を有するＨＡ端子部２４とを備えている。マイコンブロック２０は、電流計測部２１で計測する使用電流の計測値が予め決められている上限値を超えた場合、ローカルインタフェース部２２，１７を通じて設備機器コントローラＣ１の設備機器コントローラ制御部１０に機器停止（電源オフ）指令を送信するか、あるいはＨＡインタフェース部２３を制御してＨＡ端子部２４に接続されている設備機器Ｘ３又はＸ４の電源をオフさせて電力の使い過ぎを防止する機能（デマンド制御機能）と、ローカルインタフェース部２２を介して設備機器コントローラ制御部１０から与えられる指令に応じて設備機器Ｘ３，Ｘ４の動作制御や状態監視を行う機能とを有している。ここで、マイコンブロック２０にはサブシステムＳＳ１に含まれる設備機器Ｘ１〜Ｘ４のデマンド制御における優先順位が登録されており、使用電流の計測値が上限値を超えた場合、前記優先順位の高い設備機器Ｘ１，…から順番に電源がオフされる。但し、必ずしも電流計測装置Ｄに設備機器Ｘ３，Ｘ４の制御及び監視機能を持たせる必要はなく、設備機器コントローラＣ１の設備機器コントローラ制御部１０が上記デマンド制御機能を搭載してもよい。また、電流計測装置Ｄは必須の構成要件ではなく、電流計測装置Ｄを含まないサブシステムＳＳ１であっても構わない。
【００２１】
また、サブシステムＳＳ２は、図１に示すように住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するコントローラ（以下、セキュリティコントローラと呼ぶ。）Ｃ２とで構成されるセキュリティシステムである。
【００２２】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガスあるいはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。但し、上述のような機能を有するセキュリティ機器Ｙ１，Ｙ２については従来周知であるから、詳細な構成についての図示並びに説明は省略する。
【００２３】
セキュリティ受信器ＳＲは、セキュリティ機器Ｙ１，Ｙ２から送信された無線信号（若しくは有線信号）を受信することで検知情報を収集し、さらに当該検知情報に対応した処理、例えば、火災やガス漏れあるいは不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。なお、上述のような機能を有するセキュリティ受信器ＳＲについては従来周知であるから、詳細な構成についての図示並びに説明は省略する。
【００２４】
セキュリティコントローラＣ２は、図５に示すようにマイコンを主構成要素とするセキュリティコントローラ制御部３０と、宅内ネットワークのＬＡＮケーブルが接続されセキュリティコントローラ制御部３０と宅内ネットワークのインタフェースを行うＬＡＮインタフェース部３１と、セキュリティ受信器ＳＲとの間で無線（若しくは有線）によるデータ通信を行う通信部３２と、ＬＥＤ等の発光素子で電源のオン／オフ状態や通信状態等を表示する表示部３３と、押釦スイッチ等を有する操作部３４と、マイコンで実行するプログラムやセキュリティ機器Ｙ１，Ｙ２から収集した検知情報を記憶するメモリ部３５とを備えている。また、図示は省略しているが、商用電源から所望の直流電源を作成してセキュリティコントローラ制御部３０やその他の各部に動作電源を供給するための電源回路も備えている。
【００２５】
セキュリティコントローラ制御部３０は、セキュリティ受信器ＳＲから通信部３２を介して受け取った検知情報を応答メッセージとして宅内ネットワーク（あるいは宅内ネットワークと外部ネットワーク）を通じて端末装置に送信する機能（警報機能）や、端末装置から制御要求のメッセージを受け取ったときに通信部３２を介してセキュリティ受信器ＳＲにコマンドを送信してセキュリティ受信器ＳＲの動作状態（警戒状態又は非警戒状態）を切り換えたり、あるいはセキュリティ受信器ＳＲによる警報音の鳴動を停止させたり、端末装置から監視要求のメッセージを受け取ったときに通信部３２を介してセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージをＬＡＮインタフェース部３１より要求メッセージの送信元である端末装置に向けて送信させる機能（制御監視機能）を有する。また、セキュリティコントローラ制御部３０は、自己の配下にあるセキュリティ受信器ＳＲの動作状態等を文字や記号で表示するためのウェブコンテンツ（ウェブページ）を作成し、端末装置からの要求に応じて当該ウェブコンテンツをＬＡＮインタフェース部３１より端末装置に提供（配信）する機能（ウェブサーバ機能）を有している。
【００２６】
サブシステムＳＳ３は、図１に示すように住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像を外部ネットワークを通じてセンタ装置ＳＶに伝送するコントローラ（以下、画像転送コントローラと呼ぶ。）Ｃ３とで構成されるインターホンシステムである。
【００２７】
ドアホン子器ＤＳは、通話用のマイクロホン並びにスピーカや来訪者を撮像するためのカメラを具備し、マイクロホンで集音した通話音声を通話線を介してインターホン親機ＩＭに伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。なお、ドアホン子器ＤＳに伝送された画像は通話線を介してインターホン親機ＩＭに転送される。
【００２８】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００２９】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。但し、上述のような機能を有するインターホン親機ＩＭ、ドアホン子器ＤＳ、センサカメラＳＣについては、従来周知であるから詳細な構成についての図示並びに説明を省略する。
【００３０】
画像転送コントローラＣ３は、図６に示すようにマイコンを主構成要素とする画像転送コントローラ制御部４０と、宅内ネットワークのＬＡＮケーブルが接続され画像転送コントローラ制御部４０と宅内ネットワークのインタフェースを行うＬＡＮインタフェース部４１と、インターホン親機ＩＭとの間で信号線を介したデータ通信を行う通信部４２と、ＬＥＤ等の発光素子で電源のオン／オフ状態や通信状態等を表示する表示部４３と、押釦スイッチ等を有する操作部４４と、マイコンで実行するプログラムやインターホン親機ＩＭから信号線を通じて伝送されるデータ（画像データ及び通話音声データ）を記憶するメモリ部４５とを備えている。また、図示は省略しているが、商用電源から所望の直流電源を作成して画像転送コントローラ制御部４０やその他の各部に動作電源を供給するための電源回路も備えている。
【００３１】
画像転送コントローラ制御部４０は、ドアホン子器ＤＳ並びにセンサカメラＳＣからインターホン親機ＩＭに伝送された画像データ及び通話音声データを通信部４２を介してインターホン親機ＩＭから受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、画像転送コントローラ制御部４０は、メモリ部４５に記録している画像の一覧等を開示するウェブコンテンツ（ウェブページ）を作成し、端末装置からの要求に応じて当該ウェブコンテンツをＬＡＮインタフェース部４１より端末装置に提供（配信）する機能（ウェブサーバ機能）を有している。
【００３２】
次に、表示制御装置ＣＶについて説明する。表示制御装置ＣＶは住宅内の壁面に埋込配設されるものであって、図７に示すようにマイコンを主構成要素とするマイコン部５０と、宅内ネットワークのＬＡＮケーブルが接続されマイコン部５０と宅内ネットワークのインタフェースを行うＬＡＮインタフェース部５１と、液晶ディスプレイ並びにＬＥＤとそれらのドライバ回路を有する表示部５２と、押釦スイッチや液晶ディスプレイの画面上に配設されるタッチパネルを有して操作入力を受け付ける操作部５３と、マイコンで実行するプログラムや種々のデータを記憶するメモリ部５４と、スピーカとスピーカの駆動回路を有するスピーカ部５５とを備えている。また、図示は省略しているが、商用電源から所望の直流電源を作成してマイコン部５０やその他の各部に動作電源を供給するための電源回路も備えている。マイコン部５０にはウェブブラウザが実装されており、各コントローラＣｎ等から提供されるウェブコンテンツをウェブブラウザで再生して表示部５２の液晶ディスプレイに表示するとともに、操作部５３のタッチパネルが操作された位置と液晶ディスプレイに表示されているアイコン等との位置関係に応じた操作入力を受け付ける。また、メモリ部５４には予め警報音や音声メッセージのデータが圧縮して格納されており、マイコン部５０が必要に応じてメモリ部５４から読み出したデータを伸長してスピーカ部５５に出力すれば、前記警報音や音声メッセージがスピーカから鳴動される。
【００３３】
また本実施形態においては、自ら撮像した画像を宅内ネットワーク経由で配信する機能（ウェブサーバ機能）を有した撮像装置（いわゆるウェブカメラＷＣ）がＬＡＮケーブルを介して統合管理装置ＴＭの通信ポート２に接続されている（図１参照）。かかるウェブカメラＷＣは従来周知であって、撮像した画像を所定の圧縮方式（例えば、動画像であればＭＰＥＧ４、静止画像であればＪＰＥＧなど）で圧縮してネットワークを通じて配信したり、ネットワークを通じてパンやチルトの遠隔制御が可能である。
【００３４】
ところで本実施形態においては、統合管理装置ＴＭの制御部１にもウェブサーバ機能が搭載されており、各コントローラＣｎがウェブサーバ機能によって提供するウェブコンテンツ（各サブシステムＳＳｎのホームページ）への入り口となるウェブコンテンツ（いわゆるポータルサイト）を作成し、宅内ネットワークを通じて住宅内の端末装置（パソコンＰＣや表示制御装置ＣＶ）に提供（配信）している。例えば、表示制御装置ＣＶの液晶ディスプレイには、通常、統合管理装置ＴＭで作成された前記ポータルサイトが表示されている。このポータルサイトでは、各コントローラＣｎで提供されるウェブコンテンツ（各サブシステムＳＳｎのホームページ）へのリンクがアイコンで表示されており、何れかのアイコン上でタッチパネルが操作されれば、当該アイコンで表示されたリンク先のＵＲＬ（各コントローラＣｎのＩＰアドレス）に対して表示制御装置ＣＶからウェブコンテンツの送信要求メッセージが送信される。そして、送信要求メッセージを受信したコントローラＣｎが自己のウェブコンテンツを表示制御装置ＣＶに対して送信すれば、前記ポータルサイトに代わって当該コントローラＣｎのウェブコンテンツ（各サブシステムＳＳｎのホームページ）が液晶ディスプレイに表示される。
【００３５】
次に、宅内ネットワークに新たにサブシステム（例えば、ＳＳ１）が追加される場合について、図８のシーケンス図を参照して説明する。
【００３６】
サブシステムＳＳ１の配線が完了した後、設備機器コントローラＣ１を起動（電源オン）すると、ＵＰｎＰのデバイスに相当する設備機器コントローラＣ１の設備機器コントローラ制御部１０からＵＰｎＰのコントロールポイントに相当する統合管理装置ＴＭに対して宅内ネットワークへの参加が告知（NOTIFY）される（１）。当該告知を受け取った統合管理装置ＴＭの制御部１がＵＰｎＰのデバイスを検索し（２）、告知元の設備機器コントローラＣ１からの応答として当該コントローラの種類（設備機器コントローラＣ１）やＭＡＣアドレス等の情報を受け取る（３）。さらに、当該告知を受け取った統合管理装置ＴＭの制御部１では、ＤＨＣＰサーバの機能を使って、新しく宅内ネットワークに参加する設備機器コントローラＣ１にネットワークアドレス（プライベートのＩＰアドレス）を割り当て、当該設備機器コントローラＣ１のＭＡＣアドレス及びネットワークアドレスを記憶部５に記憶するとともに、記憶部５に記憶しているポータルサイトのリンク先のリストに当該ネットワークアドレスを登録し（４）、且つ割り当てたネットワークアドレスを通知するメッセージを設備機器コントローラＣ１に送信する（５）。そして、当該メッセージを受け取った設備機器コントローラＣ１の設備機器コントローラ制御部１０が通知されたネットワークアドレスを自己のアドレスとしてメモリ部１６に記憶すれば（６）、宅内ネットワークにサブシステムＳＳ１を追加する作業が完了する。なお、他のサブシステムＳＳ２，ＳＳ３が追加される場合も共通の手順で行われるから説明は省略する。
【００３７】
次に、宅内の端末装置（例えば、表示制御装置ＣＶ）を使って設備機器Ｘｍの制御並びに監視を行う場合の動作を、図９のシーケンス図を参照して説明する。
【００３８】
まず、操作部５３の押釦スイッチが押操作されるとマイコン部５０がＬＡＮインタフェース部５１より統合管理装置ＴＭに対してポータルサイトの送信要求メッセージを送信する（１）。当該メッセージを受け取った統合管理装置ＴＭの制御部１は、記憶部５のリストに登録されているサブシステムＳＳ１〜ＳＳ３のホームページへのリンクを示すアイコンや個々のサブシステムＳＳ１〜ＳＳ３の名称を示す文字等を表示するポータルサイトを作成し、当該ポータルサイトのデータを送信要求元の表示制御装置ＣＶへ送信する（２）。
【００３９】
表示制御装置ＣＶでは、統合管理装置ＴＭから受け取ったデータ（ファイル）をマイコン部５０で実行するウェブブラウザで開くことにより、液晶ディスプレイにポータルサイトを表示する（３）。そして、サブシステムＳＳ１のアイコン上でタッチパネルが操作されれば（４）、当該アイコンで表示されたリンク先のＵＲＬ（設備機器コントローラＣ１のＩＰアドレス）に対して、前記ウェブブラウザによってウェブコンテンツ（ホームページ）の送信要求メッセージが送信される（５）。そして、送信要求メッセージを受信した設備機器コントローラＣ１の設備機器コントローラ制御部１０が自己のホームページのデータを表示制御装置ＣＶに送信すれば（６）、マイコン部５０で実行するウェブブラウザで当該データ（ファイル）を開くことによりサブシステムＳＳ１のホームページが表示部５２の液晶ディスプレイに表示される（７）。このホームページでは、サブシステムＳＳ１に含まれる設備機器Ｘ１〜Ｘ４の名称と設置場所（例えば、「リビングのエアコン」，「リビングの照明」など）を示した文字、各設備機器Ｘ１〜Ｘ４の動作状態を示す文字、各設備機器Ｘ１〜Ｘ４の動作状態を反転させる操作に対応したボタン、統合管理装置ＴＭのポータルサイトに戻るためのボタン等が表示される。従って、ホームページに表示される情報から各設備機器Ｘ１〜Ｘ４の動作状態を監視（確認）することができる（８）。
【００４０】
ここで、何れかの設備機器Ｘｍの動作状態を反転させる制御、例えば、現在点灯している照明器具（設備機器Ｘ２）を消灯させる制御を行う場合、ホームページにおいて設備機器Ｘ４の動作状態を反転させる操作に対応したボタン上でタッチパネルを操作する（９）。すると、前記ウェブブラウザによって当該ボタンが操作されたことを示すメッセージ、つまり、照明器具（設備機器Ｘ２）の消灯制御を要求するメッセージ（要求メッセージ）が宅内ネットワークを通じて設備機器コントローラＣ１のネットワークアドレス宛に送信される（１０）。そして、この要求メッセージを受け取った設備機器コントローラＣ１の設備機器コントローラ制御部１０では、照明器具インタフェース部１４を介してリレー端子部１５のリレーをオフすることで照明器具（設備機器Ｘ２）を消灯する（１１）。その後、設備機器コントローラ制御部１０が照明器具（設備機器Ｘ４）を消灯したことに伴ってホームページの内容を更新し、更新したホームページのデータを表示制御装置ＣＶに送信すれば（１２）、表示制御装置ＣＶのマイコン部５０で実行するウェブブラウザで当該データ（ファイル）を開くことによりサブシステムＳＳ１の更新されたホームページが表示部５２の液晶ディスプレイに表示される（１３）。当該ホームページでは、照明器具（設備機器Ｘ２）の動作状態が点灯から消灯に変更されている。
【００４１】
次に、携帯型の端末装置（例えば、携帯電話機ＭＰ）を使って住宅の外から設備機器Ｘｍの制御並びに監視を行う場合の動作を、図１０のシーケンス図を参照して説明する。ここで、外部ネットワーク（インターネット）に対して各コントローラＣｎのウェブサーバ機能がポートを常時開放していると、例えば、悪意を持った侵入者によってシステムに異常を来す虞が高くなるので、本実施形態においては、各コントローラＣｎのウェブサーバ機能が通常はポートを閉じつつセンタ装置ＳＶに対して定期的にポーリングを行い、携帯型の端末装置から受け取った要求メッセージがセンタ装置ＳＶに保持されていれば、当該要求メッセージの宛先のコントローラＣｎによるポーリング時にセンタ装置ＳＶから要求メッセージを転送することで宅内ネットワークを保護している。
【００４２】
上述のように各コントローラＣｎからセンタ装置ＳＶに対して定期的にポーリングが行われ、センタ装置ＳＶに携帯電話機ＭＰからの要求メッセージが保持されていなければ、センタ装置ＳＶからは単に肯定応答（ＡＣＫ）がコントローラＣｎに返信されるだけである。ここで、家人が携帯電話機ＭＰを使って要求メッセージ（例えば、照明器具の動作状態の監視要求メッセージ）をセンタ装置ＳＶに送信し（１）、当該監視要求メッセージがセンタ装置ＳＶで保持された後に設備機器コントローラＣ１からポーリングされると（２）、センタ装置ＳＶは携帯電話機ＭＰから受け取って保持していた前記監視要求メッセージを設備機器コントローラＣ１に対して送信（転送）する（３）。この監視要求メッセージを受け取った設備機器コントローラＣ１では、設備機器コントローラ制御部１０が照明器具（設備機器Ｘ２）の現在の動作状態（例えば、点灯）を示す監視応答メッセージを作成してセンタ装置ＳＶに返信する（４）。当該監視応答メッセージはセンタ装置ＳＶから携帯電話機ＭＰに転送され（５）、携帯電話機ＭＰの液晶画面にセンサ装置ＳＶから転送された監視応答メッセージが表示されることで照明器具の動作状態（点灯）が確認できる。
【００４３】
また、家人が携帯電話機ＭＰを使って要求メッセージ（例えば、照明器具を消灯する制御要求メッセージ）をセンタ装置ＳＶに送信し（６）、当該制御要求メッセージがセンタ装置ＳＶで保持された後に設備機器コントローラＣ１からポーリングされると（７）、センタ装置ＳＶは携帯電話機ＭＰから受け取って保持していた前記制御要求メッセージを設備機器コントローラＣ１に対して送信（転送）する（８）。この制御要求メッセージを受け取った設備機器コントローラＣ１では、設備機器コントローラ制御部１０が照明器具インタフェース部１４を介してリレー端子部１５のリレーをオフすることで照明器具（設備機器Ｘ２）を消灯する（９）。その後、設備機器コントローラ制御部１０が照明器具（設備機器Ｘ２）を消灯したことを示す制御応答メッセージを作成してセンタ装置ＳＶに返信する（１０）。当該制御応答メッセージはセンタ装置ＳＶから携帯電話機ＭＰに転送され（１１）、携帯電話機ＭＰの液晶画面にセンサ装置ＳＶから転送された制御応答メッセージが表示されることで照明器具が消灯したことが確認できる。但し、制御要求メッセージを送信してから制御応答メッセージが返信されるまでに相当の時間（例えば、数分間）を要する場合、制御要求メッセージを受け取った旨のメッセージをセンタ装置ＳＶから携帯電話機ＭＰに送信することが望ましい。
【００４４】
次に、セキュリティシステム（サブシステムＳＳ２）において、セキュリティコントローラＣ２がセキュリティ受信器ＳＲから異常発生（例えば、火災やガス漏れの発生あるいは不審者の侵入など）を示す検知情報を取得した場合の動作を、図１１のシーケンス図を参照して説明する。
【００４５】
何れかのセキュリティ機器Ｙ１，Ｙ２で異常が検出され、セキュリティコントローラＣ２のセキュリティコントローラ制御部３０がセキュリティ受信器ＳＲから異常発生の検知情報を取得すると（１）、セキュリティコントローラ制御部３０は当該検知情報を含む応答メッセージ（以下、連携メッセージと呼ぶ。）を作成して宅内ネットワーク内に一斉同報（ブロードキャスト）する（２）とともに、センタ装置ＳＶにも異常発生通報のためのメッセージを送信する（３）。
【００４６】
前記連携メッセージを受け取った表示制御装置ＣＶでは、マイコン部５０が受け取った連携メッセージに含まれる検知情報から発生した異常の内容（例えば、火災やガス漏れの発生あるいは不審者の侵入など）を判断し、その内容に応じた警報音（例えば、「火災が発生しました。すぐに避難してください。」あるいは「不審者が侵入しました。」などの音声メッセージやブザー音など）をスピーカ部５５に鳴動させるとともに、異常の内容に応じた警報表示（例えば、「○○で火災が発生しました。」あるいは「××に不審者が侵入しました。」などのメッセージ）を表示部５２の液晶ディスプレイに表示させる（４）。なお、検知された異常が不審者の侵入であった場合、セキュリティコントローラＣ２では、ウェブカメラＷＣを起動させるとともに当該ウェブカメラＷＣで撮像された画像を宅内ネットワーク経由で取得し、さらに取得した画像をセンタ装置ＳＶに転送する。
【００４７】
また、センタ装置ＳＶでは、セキュリティコントローラＣ２から受け取った異常発生の通報メッセージとウェブカメラＷＣで撮像された画像を、予め登録されている携帯電話機ＭＰのメールアドレスに送信することで異常の発生を外出中の家人に通知する（５）。
【００４８】
一方、連携メッセージを受け取った他のコントローラ、すなわち、設備機器コントローラＣ１と画像転送コントローラＣ３においては、設備機器コントローラ制御部１０並びに画像転送コントローラ制御部４０が受け取った連携メッセージに含まれる検知情報から発生した異常の内容を判断し、予め決められているルールに則り、必要であれば異常の内容に応じた制御動作を実行する（６）。例えば、火災が発生している場合に設備機器コントローラ制御部１０が照明器具を点灯することで避難し易くしすることが可能である。但し、ガス漏れが発生している場合、設備機器Ｘｍの動作状態が切り換えられると電源のオン又はオフに伴って発生した火花が漏れたガスに引火する虞があるので、設備機器コントローラ制御部１０では、仮に制御要求メッセージを受け取っても全ての設備機器Ｘｍについての制御を無効とする。
【００４９】
次に、インターホンシステム（サブシステムＳＳ３）のドアホン子器ＤＳで撮像した画像をセンタ装置ＳＶに蓄積するとともに、蓄積された画像を端末装置（例えば、携帯電話機ＭＰ）で再生する場合の動作を、図１２のシーケンス図を参照して説明する。但し、以下の説明では画像のみを蓄積する場合について説明するが、画像とともに通話音声もセンタ装置ＳＶに蓄積し且つ端末装置で再生することも可能である。
【００５０】
既に説明したように、来訪者が呼出釦を押操作すると（１）、ドアホン子器ＤＳの画像伝送機能が有効になってドアホン子器ＤＳのカメラで撮像された画像（画像データ）がインターホン親機ＩＭに伝送される。インターホン親機ＩＭは、ドアホン子器ＤＳから受け取った画像データを画像転送コントローラＣ３に伝送する（２）。画像転送コントローラＣ３においては、インターホン親機ＩＭから受け取った画像データを画像転送コントローラ制御部４０にて所定の圧縮方式（例えば、動画像であればＭＰＥＧ４、静止画像であればＪＰＥＧなど）で圧縮処理し（３）、圧縮した画像データを応答メッセージとして宅内ネットワーク及び外部ネットワークを通じてセンタ装置ＳＶに転送する（４）。センタ装置ＳＶでは、画像転送コントローラＣ３から受け取った画像データをハードディスク等の記録媒体に記録（蓄積）する（５）。
【００５１】
また、表示制御装置ＣＶにより画像転送コントローラＣ３を介してインターホン親機ＩＭの留守録機能が有効に設定されると（６）、表示制御装置ＣＶからセンタ装置ＳＶに対して留守録設定を通知するメッセージが送信される（７）。そして、留守録機能が有効に設定されているときに来訪者が呼出釦を押操作すると（８）、ドアホン子器ＤＳの画像伝送機能が有効になってドアホン子器ＤＳのカメラで撮像された画像（画像データ）がインターホン親機ＩＭに伝送され、インターホン親機ＩＭは、ドアホン子器ＤＳから受け取った画像データを画像転送コントローラＣ３に伝送する（９）とともに、当該画像データをメモリ部４５に記憶（録画）する（１０）。また、インターホン親機ＩＭから受け取った画像データを画像転送コントローラ制御部４０にて圧縮処理し（１１）、圧縮した画像データを応答メッセージとして宅内ネットワーク及び外部ネットワークを通じてセンタ装置ＳＶに転送する（１２）。
【００５２】
センタ装置ＳＶでは、画像転送コントローラＣ３から画像データが転送されると、予め登録されている携帯電話機ＭＰのメールアドレスにメッセージを送信して外出中の家人に来客を通知し（１３）、さらに、当該画像データを記録媒体に蓄積する（１４）。
【００５３】
前記メッセージを受け取った家人が来訪者を確認したい場合、携帯電話機ＭＰよりセンタ装置ＳＶに対して画像再生の要求メッセージを送信すればよい（１５）。当該要求メッセージを受け取ったセンタ装置ＳＶは、記録媒体に蓄積した前記画像データを携帯電話機ＭＰで再生可能なファイル形式に加工（変換）し（１６）、加工後の画像データを携帯電話機ＭＰに送信する（１７）。その結果、外出中の家人は携帯電話機ＭＰで再生した画像を見て来訪者を確認することができる。なお、インターホン親機ＩＭの留守録機能が有効に設定されているときにセンサカメラＳＣが人体を検知して画像を撮像した場合においても、上述のようにドアホン子器ＤＳで画像を撮像する場合と同様にして、センサカメラＳＣで撮像された画像をセンタ装置ＳＶ経由で携帯電話機ＭＰに送信し、携帯電話機ＭＰで再生した画像を見て来訪者を確認することができる。また、センタ装置ＳＶでは画像転送コントローラＣ３から転送された画像を記録媒体に記録しているので、記録媒体に記録されている過去の画像を携帯電話機ＭＰに送信し、携帯電話機ＭＰで再生した画像を見ることも可能である。
【００５４】
次に、インターホン親機ＩＭの画像モニタ機能を利用し、ドアホン子器ＤＳで撮像した画像を端末装置（例えば、携帯電話機ＭＰや表示制御装置ＣＶ）で再生する場合の動作を、図１３のシーケンス図を参照して説明する。
【００５５】
携帯電話機ＭＰからセンタ装置ＳＶに対して画像モニタの要求メッセージが送信されると（１）、センタ装置ＳＶは、インターホンシステムＳＳ３の画像転送コントローラＣ３からポーリングされたときに（２）、当該要求メッセージを画像転送コントローラＣ３に送信する（３）。この画像モニタ要求メッセージを受け取った画像転送コントローラＣ３では、画像転送コントローラ制御部４０がインターホン親機ＩＭの画像モニタ機能を有効に設定するための制御信号を通信部４２より送信し（４）、この制御信号を受け取ることでインターホン親機ＩＭの画像モニタ機能が有効になる（５）。すると、インターホン親機ＩＭは、通話線を介して電源を供給することでドアホン子器ＤＳの画像伝送機能を有効とし、ドアホン子器ＤＳのカメラで撮像された画像を受け取るとともに当該画像データを画像転送コントローラＣ３に伝送する（６）。画像転送コントローラＣ３においては、インターホン親機ＩＭから受け取った画像データを画像転送コントローラ制御部４０にて圧縮処理し（７）、圧縮した画像データを応答メッセージとして宅内ネットワーク及び外部ネットワークを通じてセンタ装置ＳＶに転送する（８）。そして、センタ装置ＳＶが転送されてきた画像データを携帯電話機ＭＰに送信し（９）、その結果、ドアホン子器ＤＳで撮像された画像を携帯電話機ＭＰで再生して確認することができる。
【００５６】
また、インターホンシステムＳＳ３のホームページには、インターホン親機ＩＭの画像モニタ機能を有効に設定するためのアイコンが用意されており、表示制御装置ＣＶの操作部５３において当該アイコンの操作が受付されると、マイコン部５０がＬＡＮインタフェース部５１を通じて画像モニタ要求メッセージを画像転送コントローラＣ３に送信する（１０）。この画像モニタ要求メッセージを受け取った画像転送コントローラＣ３では、画像転送コントローラ制御部４０がインターホン親機ＩＭの画像モニタ機能を有効に設定するための制御信号を通信部４２より送信し（１１）、この制御信号を受け取ることでインターホン親機ＩＭの画像モニタ機能が有効になる（１２）。すると、インターホン親機ＩＭは、通話線を介して電源を供給することでドアホン子器ＤＳの画像伝送機能を有効とし、ドアホン子器ＤＳのカメラで撮像された画像を受け取るとともに当該画像データを画像転送コントローラＣ３に伝送する（１３）。画像転送コントローラＣ３においては、インターホン親機ＩＭから受け取った画像データを画像転送コントローラ制御部４０にて圧縮処理し（１４）、圧縮した画像データを応答メッセージとして表示制御装置ＣＶに転送する（１５）。そして、表示制御部ＣＶでは、受け取った画像データをマイコン部５０で伸長処理して表示部５２に出力することでドアホン子器ＤＳで撮像された画像が表示部５２の液晶ディスプレイに表示される。
【００５７】
ところでインターホン親機ＩＭは、既に説明したようにドアホン子器ＤＳで特定の操作（例えば、呼出釦の長押し）が行われた場合に通常の呼出音と区別可能な通知音で家人の帰宅を通知する帰宅通知機能を有している。そこで、ドアホン子器ＤＳで前記特定操作が行われたらインターホン親機ＩＭから画像転送コントローラＣ３に帰宅通知を知らせる信号を伝送し、さらに、この信号を受け取った画像転送コントローラＣ３がセンタ装置ＳＶに帰宅通知の応答メッセージを送信するとともに、センタ装置ＳＶから携帯電話機ＭＰに帰宅通知のメールを送信すれば、外出中の家人に家族の帰宅を知らせることができる。
【００５８】
上述のように本実施形態によれば、複数のサブシステムＳＳ１〜ＳＳ３毎に住宅設備の制御並びに監視を行うとともに、これら複数のサブシステムＳＳ１〜ＳＳ３で汎用の通信プロトコルを利用した宅内ネットワークを構成するので、宅内ネットワークを通じてサブシステムＳＳ１〜ＳＳ３同士の連携が図れるから、全ての住宅設備が１台の親機に接続される従来例に比較して市場ニーズの変化や住宅設備の機能向上に柔軟且つ迅速に対応できる。しかも、ドアホン子器ＤＳで撮像した画像やセンサカメラＳＣで撮像した画像を画像転送コントローラＣ３によってインターホン親機ＩＭからセンタ装置ＳＶに転送し、センタ装置ＳＶにおいて前記画像を記録しているので、従来例のようにインターホン親機ＩＭで全ての画像を記録する場合に比較してインターホン親機ＩＭに搭載するメモリの容量を抑えつつ記録された画像が端末装置（パソコンＰＣや表示制御装置ＣＶあるいは携帯電話機ＭＰなど）で確認できるという利点がある。
【図面の簡単な説明】
【００５９】
【図１】本実施形態のシステム構成図である。
【図２】同上における統合管理装置のブロック図である。
【図３】同上における設備機器コントローラのブロック図である。
【図４】同上における電流計測装置のブロック図である。
【図５】同上におけるセキュリティコントローラのブロック図である。
【図６】同上における画像転送コントローラのブロック図である。
【図７】同上における表示制御装置のブロック図である。
【図８】同上における動作説明用のシーケンス図である。
【図９】同上における動作説明用のシーケンス図である。
【図１０】同上における動作説明用のシーケンス図である。
【図１１】同上における動作説明用のシーケンス図である。
【図１２】同上における動作説明用のシーケンス図である。
【図１３】同上における動作説明用のシーケンス図である。
【符号の説明】
【００６０】
ＳＳ１〜ＳＳ３  サブシステム
ＴＭ  統合管理装置
Ｃ１  設備機器コントローラ
Ｃ２  セキュリティコントローラ
Ｃ３  画像転送コントローラ
Ｘ１〜Ｘ４  設備機器
Ｄ  電流計測装置
ＳＲ  セキュリティ受信器
Ｙ１，Ｙ２  セキュリティ機器
ＩＭ  インターホン親機
ＤＳ  ドアホン子器
ＣＶ  表示制御装置
ＳＶ  センタ装置
ＭＰ  携帯電話機
【図１】
0004687504.tif 000002
【図２】
0004687504.tif 000003
【図３】
0004687504.tif 000004
【図４】
0004687504.tif 000005
【図５】
0004687504.tif 000006
【図６】
0004687504.tif 000007
【図７】
0004687504.tif 000008
【図８】
0004687504.tif 000009
【図９】
0004687504.tif 000010
【図１０】
0004687504.tif 000011
【図１１】
0004687504.tif 000012
【図１２】
0004687504.tif 000013
【図１３】
0004687504.tif 000014